(57)【特許請求の範囲】
【請求項１】
カメラの映像信号を符号化して送信する複数のエンコーダ装置と、該複数のエンコーダ装置からの映像データを収集・再生して画面に表示する監視装置とがネットワークを介して接続するカメラ監視システムにおいて、
前記エンコーダ装置は、被写体の映像データと共に該被写体映像を特定するためにマイクから入力された音声信号を符号化して前記監視装置に送信し、
前記監視装置は、前記エンコーダ装置から送られた映像データを画面に表示すると共に、該被写体映像を特定するための音声データを再生してスピーカに出力することを特徴とするカメラ監視システム。
【請求項２】
前記エンコーダ装置は、被写体映像を特定するための音声情報を記憶する記憶手段を備え、前記監視装置からの要求に応じて前記記憶手段の音声情報を監視装置に送信することを特徴とする請求項１に記載のカメラ監視システム。
【発明の詳細な説明】
【０００１】
【発明の属する技術分野】
本発明はカメラ監視システムに関し、更に詳しくはカメラの映像信号を符号化して送信する複数のエンコーダ装置と、各エンコーダ装置からの映像データを収集・再生して画面に表示する監視装置とがネットワークを介して接続するカメラ監視システムに関する。
【０００２】
【従来の技術】
図８は従来技術を説明する図で、従来のカメラ監視システムのネットワーク構成を示している。図において、ＶＣは監視用のビデオカメラ、ＥＮＣはＭＰＥＧ２方式による映像信号（音声信号を含む）のエンコーダ装置、１００はＴＣＰ／ＩＰ等によるネットワーク（ＮＷ）、８０は各エンコーダ装置に接続する監視映像の管理サーバ、９０は映像の監視卓（モニタ）装置、８１はカメラ（監視映像）の管理テーブルである。
【０００３】
カメラ監視の概要を述べると、例えばカメラＶＣ１は森林を監視するＡ地点に設置され、エンコーダ装置ＥＮＣ１は被写体（森林）の映像信号を符号（パケット）化し、管理サーバ８０に送信する。カメラＶＣ２は山岳を監視するＢ地点に設置され、エンコーダ装置ＥＮＣ２は同様にして被写体（山岳）の映像パケットを管理サーバ８０に送信する。カメラＶＣ３はビルの一角を監視するＣ地点−ａに設置され、エンコーダ装置ＥＮＣ３は被写体（ビルの一角）の映像パケットを管理サーバ８０に送信する。これら、各地点からの監視映像は監視センタのモニタ９０に表示されると共に、監視者ｂは、予め管理テーブル８１に登録されたカメラの設置位置情報（Ａ，Ｂ，Ｃ地点−ａ等）に基づき被写体映像の特定（識別／把握)を行う。
【０００４】
従来、このような管理テーブル８１の作成及び更新は監視センタの人手により行っていた。例えば、今、ビルの一角を監視するＣ地点−ｂに新たにカメラＶＣ４を設置する場合は、現地の工事担当者ａがカメラＶＣ４やエンコーダ装置ＥＮＣ４の設置後、別途携帯電話ＭＳ２等を使用して監視者ｂに電話をし、被写体のテスト映像と共にカメラの設置位置情報「Ｃ地点−ｂ」を電話で報告する。報告を受けた監視者ｂは、被写体のテスト映像を確認すると共に、管理テーブル８１におけるエンコーダ装置ＥＮＣ４のＩＰアドレス（ＡＤ＝００４）の対応に予め記録されたカメラの設置位置情報「Ｃ地点−ｂ」を確認する。又はこの時点で管理テーブル８１にカメラの設置位置情報「Ｃ地点−ｂ」を記録する。
【０００５】
【発明が解決しようとする課題】
しかし、上記従来の如くカメラの設置位置情報（住所，名称等）を記録する方式であると、カメラの設置位置情報と被写体（監視対象）の映像とは必ずしも一致しないため、監視者ｂには被写体映像から監視対象を特定（連想）するのが困難なものとなっていた。
【０００６】
また、上記従来の如くカメラの設置位置情報を監視者ｂ等の手入力で記録する方式であると、監視対象（カメラの設置台数）が少ない場合は良いが、監視対象が増すと、カメラの設置位置情報に付いても最小限の情報（簡単な地名，名称等）を入力するので精一杯となり、監視対象を特定するに十分な識別情報（即ち、被写体の映像は何処の地点のどういった映像なのかを示す情報）を記録するのが極めて困難であった。
【０００７】
また、監視対象は、増設のみならず、変更もあるため、こうして、監視者ｂにとっては、管理テーブル８１の作成維持管理に必要な作業が膨大なものとなるばかりか、監視作業（監視映像と監視対象とを直感的に結びつける作業）の効率が著しく低下していた。
【０００８】
本発明は上記従来技術の問題点に鑑みなされたもので、その目的とする所は、被写体（監視対象）映像の特定と認識及びその維持管理が容易なカメラ監視システムを提供することにある。
【０００９】
【課題を解決するための手段】
上記の課題は例えば図１の構成により解決される。即ち、本発明（１）のカメラ監視システムは、カメラ１１の映像信号を符号化して送信する複数のエンコーダ装置２０と、各エンコーダ装置からの映像データを収集・再生して画面に表示する監視装置７０とがネットワーク１００を介して接続するカメラ監視システムにおいて、エンコーダ装置２０ａは、被写体の映像データと共に該被写体映像を特定するためにマイク１３から入力された音声信号を符号化して監視装置７０に送信し、監視装置７０は、エンコーダ装置２０ａから送られた映像データを画面５１に表示すると共に、該被写体映像を特定するための音声データを再生してスピーカ５３に出力するものである。
【００１０】
本発明（１）によれば、被写体（監視対象）映像を特定する情報を音声入力するので、被写体の地名情報のような簡単な情報のみならず、被写体映像そのものを特徴付けるより詳細な特定情報を容易に音声入力できる。また、被写体映像の特定情報はエンコーダ装置の側で音声入力するので、現場の工事担当者等が被写体映像を特定する適切な識別情報（被写体映像は何処の地点のどういった映像なのかを示す情報）を容易に音声入力できる。また監視者は、被写体（監視対象）映像を画面５１で見るのと同時に、その特定（説明）情報を音声で聴けるので、被写体映像と監視対象との関連を直感的に把握できる。
【００１１】
好ましくは、エンコーダ装置２０ｄは、被写体の映像データと共に該被写体映像を特定するために外部機器１５から入力されたテキストデータを監視装置７０に送信し、監視装置７０は、エンコーダ装置２０ｄから送られた映像データとテキストデータとを関連付けて画面５１に表示するものである。
【００１２】
この態様では、被写体（監視対象）映像を特定するテキスト情報をエンコーダ装置の側で外部機器により入力するので、現場の工事担当者等が予め適切な情報を作成し、容易に入力できる。また監視者は、被写体（監視対象）映像を画面５１で見るのと同時に、その特定（説明）情報をテキスト情報で見れるので、被写体映像と監視対象との関連を容易に把握できる。
【００１３】
本発明（２）では、上記本発明（１）において、エンコーダ装置２０ａは、被写体映像を特定するための音声情報を記憶する記憶手段を備え、監視装置７０からの要求に応じて前記記憶手段の音声情報を監視装置７０に送信するものである。
【００１４】
本発明（２）によれば、エンコーダ装置は被写体映像を特定するための音声情報を記憶する記憶手段を備えるため、現場の工事担当者等は独自のペース（作業の進捗状況）で被写体映像の特定（識別）情報を作成・記憶できると共に、監視者はその記憶情報を後の任意の時点に利用できる。
【００１５】
【発明の実施の形態】
以下、添付図面に従って本発明に好適なる実施の形態を詳細に説明する。なお、全図を通して同一符号は同一又は相当部分を示すものとする。図２〜図５は実施の形態によるカメラ監視システムのブロック図（１）〜（４）で、異なるタイプの複数のエンコーダ装置２０ａ〜２０ｄと、これらに共通の監視装置７０とがネットワーク１００を介して接続する場合を示している。
【００１６】
図２は一例のエンコーダ装置２０ａを示す図で、監視装置７０に送信するための被写体映像を特定(説明）する音声識別情報であって、ＭＰＥＧフォーマットに多重する前のものをメモリ２４に蓄積する場合を示している。図において、１１は被写体(監視対象)を撮影するビデオカメラ（ＶＣ）、１２は被写体周辺の音響（以下、音声と言う）信号を収音するためのマイク（ＭＩＣ）、２０ａはエンコーダ装置、１３はエンコーダ装置２０ａに設けられた音声入力用のマイク（ＭＩＣ）、１４は工事担当者ａが操作をするマニュアルスイッチ（ＳＷ）、２１はカメラ１１の映像信号をＡ／Ｄ変換してＭＰＥＧ２方式によるビデオデータストリームＶＥＳに変換（符号化）するビデオエンコーダ（ＶＥＣ）、２２はマイク１２／１３の音声信号をＡ／Ｄ変換してＭＰＥＧ２方式による音声データストリームＡＥＳに変換する音声エンコーダ（ＡＥＣ）、２３はエンコーダ装置２０ａの主制御・処理を行うＣＰＵ（制御プログラム等を記憶した主メモリを含む）、２４はマイク１３から入力された音声信号の音声データストリームＡＥＳを一時的に記憶するメモリ（ＭＥＭ）、２５，２６はセレクタ（ＳＥＬ）、２７はビデオデータストリームＶＥＳ、音声データストリームＡＥＳ及び情報データストリームＤＥＳをＭＰＥＧ２フォーマットに従い多重してパケットストリームを生成する多重部、２８はパケット通信を行う通信制御部（ＣＯＭ）、２９はＣＰＵ２３の共通バス、そして、１００はＴＣＰ／ＩＰ方式によるネットワーク（ＮＷ）である。
【００１７】
更に、７０は中央の監視装置(本体）、７１は監視装置７０の主制御・処理を行うＣＰＵ（制御プログラム等を記憶した主メモリを含む）、７２は２次記憶装置としてのハードディスク装置（ＨＤＤ）、７３はＣＰＵ７１の共通バス、６２はパケット通信を行う通信制御部（ＣＯＭ）、６０はエンコーダ装置２０ａからの受信パケット（ストリーム）をＭＰＥＧ２方式に従って分離・復号・再生するデコーダ部（ＤＥＣ）、６３は受信ストリームの分離部、６４は分離されたビデオデータストリームＶＥＳを復号・再生して映像信号に変換するビデオデコーダ（ＶＤＣ）、６５は音声データストリームＡＥＳを復号・再生して音声信号に変換する音声デコーダ（ＡＤＣ）、６６はテキストデータを対応する音声信号に変換（合成）する音声合成器（ＣＤＣ）、６７，６８はアナログ信号を合成する信号合成器、５１は監視映像を表示するモニタ、５２は監視者ｂが操作をするキーボード、５３は音声信号を出力するスピーカ（ＳＰ）である。
【００１８】
挿入図（ａ）にＣＰＵ７１が管理・参照する被写体（管理対象)映像の管理テーブル７４を示す。図において、「ＡＤ」はネットワークアドレス（ＩＰアドレス）を表し、監視装置７０に接続する３つのエンコーダ装置（エンコーダ装置２０ａと同一タイプのもの）がＩＰアドレス００１〜００３に各対応していることを示す。また「識別情報」はＩＰアドレス００１〜００３の各対応に被写体（監視対象）映像を特定するための音声識別情報Ａ〜Ｃが格納されている場所を表す。
【００１９】
なお、後述するが、この音声識別情報Ａ〜Ｃは、必要な度にエンコーダ装置ＩＰＡ００１〜ＩＰＡ００３から直接入手する場合と、予め入手した音声識別情報Ａ〜Ｃを監視装置７０のＨＤＤ７２に格納しておき、必要な度にＨＤＤ７２から読み出す場合とが考えられる。前者の場合は各エンコーダ装置ＩＰＡ００１〜ＩＰＡ００３が音声識別情報Ａ〜Ｃの所在場所であり、また後者の場合は「識別情報」の各欄に音声識別情報Ａ〜Ｃの格納アドレスが記録される。また、図示しないが、各エンコーダ装置の監視映像（映像チャネル）とＩＰアドレス００１〜００３とが１対１に対応付けられている。
【００２０】
次に図７に従ってＭＰＥＧ２−ＴＳ（トランスポートストリーム）のフォーマットを説明しておく。図において、ＥＳ(Elementary Stream)は、エンコードされた映像，音声，情報の各データ列からなり、コンテンツ（番組）の構成要素である。ＰＥＳ(Packetized Elementary Stream)は、ＥＳを可変長ブロックに区切り、これにヘッダを付してパケット化したものである。更に，ＴＳＰ(Transport Stream Packet)は、ＰＥＳを固定長ブロックに区切り、ヘッダを付したものである。そして、ＴＳ(Transport Stream)は、ＴＳパケット（１８８バイト固定）を連続させたものであり、複数のプログラムを構成する。係る規格の下で、エンコーダ装置２０ａでは映像，音声，データの各ＥＳをＴＳに変換して送信し、監視装置７０ではＴＳを映像，音声，データの各ＥＳに変換してモニタ５１，スピーカ５３，ＣＰＵ７１に出力する。
【００２１】
図２に戻り、次に監視カメラの設置及び該カメラを使用した被写体映像監視の動作を説明する。工事担当者ａは、カメラ１１の設置作業を終了すると、エンコーダ装置２０ａに電源投入する。これによりカメラ１１の映像信号はビデオエンコーダ２１でビデオデータストリームＶＥＳに変換され、多重部２７で多重される。また、この状態ではスイッチ１４がＯＦＦにされており、これによりＣＰＵ２３はセレクタ２５をマイク１２の側に接続すると共に、セレクタ２６を音声エンコーダ２２の側に接続する。これによりマイク１２からの監視音声信号は音声エンコーダ２２で音声データストリームＡＥＳに変換され、多重部２７で多重され、こうして監視映像と監視音声のＴＳが監視装置７０に送られる。
【００２２】
監視装置７０において、受信ＴＳは分離部６３で分離され、その内のビデオデータストリームＶＥＳはビデオデコーダ６４で復号・再生され、モニタ５１に表示される。また音声データストリームＡＥＳは音声デコーダ６５で復号・再生され、スピーカ５３に出力される。これにより監視者ｂは被写体（監視対象）の映像及び音声を監視できる状態となる。
【００２３】
一方、現場では引き続き工事担当者ａが、被写体映像の識別（説明）情報を入力すべくスイッチ１４を押す（ＯＮにする）。すると、その状態がＣＰＵ２３により検出され、該ＣＰＵ２３はセレクタ２５をマイク１３の側に接続すると共に、音声エンコーダ２２の出力の音声データストリームＡＥＳをメモリ２４に格納するように制御する。この状態で、工事担当者ａが被写体映像の識別情報（被写体の場所，名称，撮影方向，撮影アングル等）を音声入力すると、該音声信号は音声エンコーダ２２で符号化されて後、一旦メモリ２４に格納される。このとき、監視マイク１２からの音声信号は一時的に途切れるが、カメラ１１の映像信号は引き続き監視装置７０の側に送られている。
【００２４】
なお、別途にマイク１３を設けないで、被写体映像の説明をカメラ１１に附属する監視マイク１２から音声入力しても良い。この場合でも、音声入力と同時にスイッチ１３を押すことで、ＣＰＵ２３はその区間の音声入力を被写体映像の説明入力としてメモリ２４に格納処理できる。但し、カメラ１１に附属するような監視マイク１２は、カメラ１１と共に、一般には、工事担当者ａが使用しにくい場所に設置されるのが通常であるため、好ましくは別途エンコーダ装置２０ａの側にメッセージ入力用のマイク１３を設ける。
【００２５】
次に工事担当者ａは上記音声入力を完了すると、スイッチ１４を離す（ＯＦＦにする）。ＣＰＵ２３は、この状態を検出したことにより、セレクタ２５をマイク１２の側に接続すると共に、音声エンコーダ２２の出力の音声データストリームＡＥＳを多重部２７に出力する。これにより再びマイク１２からの監視音声信号が監視装置７０に送られる。
【００２６】
次に被写体（監視対象）映像に対する音声識別情報の蓄積・再生処理をフローで説明する。図６は音声識別情報の蓄積・再生処理のシーケンス図であり、図６（Ａ）は予め被写体映像の音声識別情報をエンコーダ装置２０の側に保持しておいて、監視装置７０からの要求がある度に音声識別情報を伝送する場合を示している。図において、ステップＳ１１では予め工事担当者ａがマイク１３より被写体映像の音声識別情報を入力する。ステップＳ１２では入力の音声識別情報を音声データストリームＡＥＳに変換してメモリ２４に格納する。ステップＳ１３ではＣＰＵ２３が音声識別情報を蓄積した旨の情報を例えばＭＰＥＧフォーマットのプライベートデータ領域（ＤＥＳ）に格納して監視装置７０に通知する。なお、この通知は、別チャネルのストリームを利用して、又は別途に形成したパケットを利用して行っても良い。
【００２７】
監視装置７０において、監視者ｂは、表示画面上で選択した被写体映像を見ながら、もしこの被写体の識別情報を知りたい場合は、所定のアイコンをクリックする。即ち、選択された被写体映像を特定するための音声信号の出力を付勢する。ＣＰＵ７１は、このアイコンのクリックに伴う要求指示を受けたことにより、ステップＳ１４では管理テーブル７４の上記選択中の監視映像に対応するエンコーダ装置２０ａのＩＰアドレス（例えばＩＰＡ＝００１）を使用して、音声識別情報の要求パケットを生成し、ネットワーク１００に送信する。エンコーダ装置２０ａ（ＩＰＡ＝００１）は、この要求パケットを受け付けたことにより、ステップＳ１５ではメモリ２４から被写体映像の音声識別情報を読み出し、これをＭＰＥＧフォーマットの音声データ領域（ＡＥＳ）に格納して監視装置７０に送信する。これを受けた監視装置７０では、受信した音声識別情報が分離部６３及び音声デコーダ６５を介して分離・復号・再生され，スピーカ５３に出力される。
【００２８】
図６（Ｂ）は被写体映像の音声識別情報を予め監視装置７０の側に伝送・保持しておいて、監視者ｂからの要求がある度にスピーカ５３に出力する場合を示している。この場合は、図示しないが、ＣＰＵ２３が音声識別情報を蓄積した旨の情報を監視装置７０に通知すると、監視装置７０からは速やかに音声識別情報の要求パケットが送信され、そのステップＳ１５ではエンコーダ装置２０ａが被写体映像の音声識別情報をＭＰＥＧフォーマットのプライベートデータ領域（ＤＥＳ）に格納して監視装置７０に送信する。監視装置７０は、ステップＳ２１で受信した音声識別情報をメモリ（ＨＤＤ７２）の当該エンコーダ装置２０ａのＩＰアドレスに対応する格納アドレスに蓄積しておく。
【００２９】
その後、監視者ｂは、表示画面の被写体映像を見ながら、もしこの被写体の識別情報を知りたい場合は、所定のアイコンをクリックする。監視装置７０では、このアイコンクリックに伴う要求指示を受けたことにより、ステップＳ２２では上記ＨＤＤ７２に蓄積しておいた音声識別情報が音声デコーダ６５を介して復号・再生され，スピーカ５３に出力される。
【００３０】
図３は他の例のエンコーダ装置２０ｂを示す図で、監視装置７０に送信するための被写体映像を特定(説明）する音声識別情報であって、ＭＰＥＧフォーマットに多重した後のものをメモリ２４に蓄積する場合を示している。
【００３１】
なお、以下に述べる各タイプのエンコーダ装置２０ｂ〜２０ｄの説明では、その監視装置７０の構成については図２〜図５を通して同一(共通）である。また、上記図６で述べたと同様の処理シーケンスを適用可能である。
【００３２】
図３において、今、工事担当者ａがスイッチ１４をＯＦＦ（通常）にしている場合は、ＣＰＵ２３はセレクタ２５を監視マイク１２の側に接続し、かつセレクタ２６を多重部２７の側に接続すると共に、この場合の多重部２７は、カメラ１１のビデオデータストリームＶＥＳと監視マイク１２の音声データストリームＡＥＳとをＭＰＥＧフォーマットに多重して監視装置７０に伝送する。従って、この場合の監視者ｂは、監視中の被写体映像とその周辺音声とを同時にモニタできる。
【００３３】
次に工事担当者ａがスイッチ１４をＯＮにすると、ＣＰＵ２３はセレクタ２５をマイク１３の側に接続し、かつセレクタ２６を多重部２７の側に接続する。また、この場合の多重部２７は、カメラ１１のビデオデータストリームＶＥＳとマイク１３の説明音声データストリームＡＥＳとをＭＰＥＧフォーマットに多重して監視装置７０に伝送すると共に、同一のコンテンツ（監視映像及び説明音声）をメモリ２４にも蓄積する。従って、この場合の監視者ｂは、被写体映像とその説明音声を同時にモニタできる。また、その後は、任意の時点にこの被写体映像とその説明音声とをメモリ２４から読み出して監視装置７０でモニタ（確認）できる。又はこの被写体映像とその説明音声とを予め監視装置７０のメモリ７２に転送・蓄積しておき、これを任意の時点に読み出してモニタ（確認）できる。挿入図（ａ）に管理テーブル７４を示す。この場合の「識別情報」の欄には被写体のサンプル映像とその説明音声とからなるストリームデータの格納番地が記録される。
【００３４】
この例のエンコーダ装置２０ｂでは、スイッチ１４が押された時点の被写体映像（テスト／サンプル映像）と共にその説明音声を多重後にメモリ２４に記憶するため、工事担当者ａはこの説明音声を入力する際には、被写体のサンプル映像として被写体(監視対象）を特定するのに適した被写体を選択できる利点がある。
【００３５】
図４は更に他の例のエンコーダ装置２０ｃを示す図で、監視用の被写体映像及びその周辺音声と、監視対象特定用の被写体テスト映像及びその説明音声とを別ストリーム（別ＴＳ）で伝送する場合を示している。被写体映像及びその説明音声をメモリ２４に記憶するまでは上記図３で述べたものと同様でよい。この例では、メモリ２４に格納された被写体のサンプル映像及びその説明音声は、監視用映像とは別ストリームで送られるため、監視者ｂは任意の時点で被写体のサンプル映像及びその説明音声をモニタできる。
【００３６】
図５は更に他の例のエンコーダ装置２０ｄを示す図で、被写体映像及びその周辺音声と共に、被写体映像を特定(説明）するためのテキストデータ（ＤＥＳ）を伝送する場合を示している。図において、３０はＲＳ−２３２Ｃ等による周辺インタフェース（ＰＩＦ）であり、ＣＰＵ２３はＰＩＦ３０を介して外部のノート型ＰＣ１５（又は専用端末装置）と接続する。
【００３７】
この場合の工事担当者ａは、被写体映像の説明データをノート型ＰＣ１５から入力する。この説明データは一旦ＣＰＵ２３に蓄積され、その旨が監視装置７０に通知される。その後、監視装置７０からの要求があると、この説明データはＭＰＥＧフォーマットのプライベートデータ領域（ＤＥＳ）に多重されて監視装置７０に転送される。監視装置７０では、通常の監視映像（監視音声を含む）をモニタすると共に，伝送された説明用のテキストデータをＣＤＣ６６で対応する文字パターンデータに変換し、これを信号合成器６７で被写体の映像信号に合成する。この場合の監視者ｂは、監視映像に合成された説明文字を読むことで、被写体映像を容易に認識(特定）できる。
【００３８】
又は、受信したテキストデータを音声合成器６６で音声信号に変換し、これを信号合成器６８で被写体の監視音声信号に合成する。この場合の監視者ｂは、監視音声に合成された説明音声を聞くことで、被写体映像を容易に認識(特定）できる。なお、上記エンコーダ装置２０ｄから受信した被写体映像の説明データを予めＨＤＤ７２に記憶しておき、そのアクセスアドレスを管理テーブル７４で管理しても良い。挿入図（ａ）に管理テーブル７４を示す。この場合の「識別情報」の欄には被写体の説明データの格納番地が記録される。
【００３９】
なお、上記実施の形態では異なるタイプのエンコーダ装置２０ａ〜２０ｄに接続する共通の監視装置７０を示したが、これに限らない。いずれかのタイプのエンコーダ装置に専用の監視装置を使用してカメラ監視システムを構成しても良い。
【００４０】
また、上記本発明に好適なる実施の形態を述べたが、本発明思想を逸脱しない範囲内で各部の構成、制御、処理及びこれらの組み合わせの様々な変更が行えることは言うまでも無い。
【００４１】
（付記１）  カメラの映像信号を符号化して送信する複数のエンコーダ装置と、各エンコーダ装置からの映像データを収集・再生して画面に表示する監視装置とがネットワークを介して接続するカメラ監視システムにおいて、エンコーダ装置は、被写体の映像データと共に該被写体映像を特定するためにマイクから入力された音声信号を符号化して監視装置に送信し、監視装置は、エンコーダ装置から送られた映像データを画面に表示すると共に、該被写体映像を特定するための音声データを再生してスピーカに出力することを特徴とするカメラ監視システム。
【００４２】
（付記２）  カメラの映像信号を符号化して送信する複数のエンコーダ装置と、各エンコーダ装置からの映像データを収集・再生して画面に表示する監視装置とがネットワークを介して接続するカメラ監視システムにおいて、エンコーダ装置は、被写体の映像データと共に該被写体映像を特定するために外部機器から入力されたテキストデータを監視装置に送信し、監視装置は、エンコーダ装置から送られた映像データとテキストデータとを関連付けて画面に表示することを特徴とするカメラ監視システム。
【００４３】
（付記３）  エンコーダ装置は、被写体映像を特定するための音声情報を記憶する記憶手段を備え、監視装置からの要求に応じて前記記憶手段の音声情報を監視装置に送信することを特徴とする付記１に記載のカメラ監視システム。
【００４４】
（付記４）  カメラの映像信号を符号化して送信する複数のエンコーダ装置と、各エンコーダ装置からの映像データを収集・再生して画面に表示する監視装置とがネットワークを介して接続するカメラ監視システムの前記エンコーダ装置において、マニュアル操作可能なスイッチと、該スイッチが付勢された区間のマイクからの音声信号を符号化してメモリに記憶させる制御手段とを備え、制御手段は、監視装置からの要求に従って前記メモリに記憶された音声情報を監視装置に送信することを特徴とするエンコーダ装置。
【００４５】
（付記５）  カメラの映像信号を符号化して送信する複数のエンコーダ装置と、各エンコーダ装置からの映像データを収集・再生して画面に表示する監視装置とがネットワークを介して接続するカメラ監視システムの前記監視装置において、各エンコーダ装置からの被写体映像を選択する手段と、選択された被写体映像を特定するための音声信号の出力を付勢／消勢する手段と、音声信号の出力が付勢されているときに選択された被写体映像につき、該被写体映像を特定する音声データであって、対応するエンコーダ装置で作成されたもの、を再生してスピーカに出力する制御手段とを備えることを特徴とする監視装置。
【００４６】
【発明の効果】
以上述べた如く本発明によれば、被写体（監視対象）映像の説明を現地（エンコーダ装置）で入力する簡単な構成により、被写体（監視対象）映像の特定と認識及びその維持管理が極めて容易となる。
【図面の簡単な説明】
【図１】本発明の原理を説明する図である。
【図２】  実施の形態によるカメラ監視システムのブロック図（１）である。
【図３】  実施の形態によるカメラ監視システムのブロック図（２）である。
【図４】  実施の形態によるカメラ監視システムのブロック図（３）である。
【図５】  実施の形態によるカメラ監視システムのブロック図（４）である。
【図６】  実施の形態による音声識別情報の蓄積・再生処理のシーケンス図である。
【図７】  ＭＰＥＧ２−ＴＳを説明する図である。
【図８】  従来技術を説明する図である。
【符号の説明】
１１  ビデオカメラ（ＶＣ）
１２，１３  マイク（ＭＩＣ）
１４  マニュアルスイッチ（ＳＷ）
１５  ノート型ＰＣ
２０  エンコーダ装置
２１  ビデオエンコーダ（ＶＥＣ）
２２  音声エンコーダ（ＡＥＣ）
２３  ＣＰＵ
２４  メモリ（ＭＥＭ）
２５，２６  セレクタ（ＳＥＬ）
２７  多重部
２８  通信制御部（ＣＯＭ）
２９  共通バス
３０  周辺インタフェース（ＰＩＦ）
５１  表示モニタ
５２  キーボード
５３  スピーカ（ＳＰ）
６０  デコーダ部（ＤＥＣ）
６２  通信制御部（ＣＯＭ）
６３  分離部
６４  ビデオデコーダ（ＶＤＣ）
６５  音声デコーダ（ＡＤＣ）
６６  音声合成器（ＣＤＣ）
６７，６８  信号合成器
７０  監視装置(本体）
７１  ＣＰＵ
７２  ハードディスク装置（ＨＤＤ）
７３  共通バス
１００  ネットワーク（ＮＷ）
【図１】
0003962263.tif 000002
【図２】
0003962263.tif 000003
【図３】
0003962263.tif 000004
【図４】
0003962263.tif 000005
【図５】
0003962263.tif 000006
【図６】
0003962263.tif 000007
【図７】
0003962263.tif 000008
【図８】
0003962263.tif 000009